(57)【要約】      （修正有）【課題】乳幼児が乳幼児用具及び機器等を直接舐めないようにすると共に、前記乳幼児用具及び機器等の取付け対象が異なる２種類の周囲の長さに対しても対応可能なこと。【解決手段】略長方形状の本体布１の互いに対向する２辺１ａ、１ｃ、２辺１ｂの中央部を内側に凹の弧状とし、前記対抗する２辺１ａ、１ｃ、２辺１ｂを同一長さとした４辺を有する本体布１とする。そして、本体布１の対角線上の対向する２角部に設けたホック４ａ等の固着具の係合側及び他の対向する２角部に設けたホック４ａ等の固着具の意匠側を形成し、一方のホック４ａ等の固着具の意匠側を内側に入れ、その表面側に同一辺上のホック４ａ等の固着具の係合側を重ねて係合する。また、対向辺のホック４ａ等の固着具の意匠側を内側に入れ、その表面側に同一辺上のホック４ａ等の固着具の係合側を重ねて係合する。【選択図】図３
2012157419.tif 000002
【特許請求の範囲】
【請求項１】
全辺の対抗する２辺を同一長さとした４辺を有する略長方形状の本体布と、
前記本体布の両面に互いに隣接する前記２辺が交差することによって形成される対向する２角部に設けた係合側及び他の対向する２角部に設けた前記係合側の反対側の意匠側をそれぞれ形成した固着具と
を具備することを特徴とする舐め防止プロテクター。
【請求項２】
前記略長方形状の本体布は、パイル地またはガーゼ地としたことを特徴とする請求項１に記載の舐め防止プロテクター。
【請求項３】
前記略長方形状の本体布は、伸縮性の生地としたことを特徴とする請求項１に記載の舐め防止プロテクター。
【請求項４】
前記略長方形状の本体布は、１：１以上、１：２以下のサイズ比としたことを特徴とする請求項１乃至請求項３のいずれか１つに記載の舐め防止プロテクター。
【発明の詳細な説明】
【技術分野】
【０００１】
本発明は、乳幼児が直接用具、機器等を舐めないようにする舐め防止プロテクターに関するものである。
【背景技術】
【０００２】
乳幼児が直接用具、機器等を舐める問題のある従来のベビーキャリアとして、特許文献１の発明を挙げることができる。即ち、特許文献１のベビーキャリアは、乳幼児の身体にあてがう本体部と、この本体部の上下方向に架け渡された左右の肩ベルトと、前記肩ベルトの下部領域にスライド自在に取付けられて左右の肩ベルト間の距離を規制する下部規制帯とを備えている。
抱っこのときは、下部規制帯を肩ベルトの下部領域の上方にスライドさせ、本体部を使用者の胸側に装着すると、前記下部規制帯は使用者の背中に位置することとなり、左右の肩ベルトの間隔を規制し、肩ベルトの肩落ちを防止できる。また、おんぶのときは、下部規制帯を下方にスライドしておけば邪魔にならず、支障なくおんぶすることができる。また、前記下部規制帯をスライドさせるという、簡単な操作で抱持方法に適した状態にすることができる。なお、左右の肩ベルトは常に平行であり分離可能とする必要がなく、肩ベルトの両端を本体部に固着できる。
【先行技術文献】
【特許文献】
【０００３】
【特許文献１】特開２００９−１７８３８９号公報
【発明の概要】
【発明が解決しようとする課題】
【０００４】
特許文献１のベビーキャリアによれば、上部規制帯により肩ベルトの上部領域における肩ベルト間隔が規制され、乳幼児の胸回りの余分な緩みが無くなり、その収容空間が規制されるので、乳幼児をおんぶしたり、抱っこしたりするときの安定性が高められ、おんぶ時の肩ベルトのずり落ち防止が期待できるものである。
【０００５】
しかし、特許文献１のベビーキャリアは、乳幼児をおんぶしたり、抱っこしたりするとき、ベビーキャリアの前記肩ベルトの一部に唇が当たり、乳幼児の唇が刺激され、前記肩ベルトを舐め始めることがある。また、一度舐め始めると、癖になり、前記肩ベルトを舐めなければいけないように舐める乳幼児がいる。
親は、乳幼児の前記肩ベルトを舐める癖を発見すると、その癖を直させようと努力されるが、直らないのが一般的である。そこで、親は、不潔感を感じてベビーキャリアを使用する度に部分的につまみ洗いをしたり、全体をドライクリーニングしたりしている。
しかし、ベビーキャリアの肩ベルトを部分的につまみ洗いすると、つまみ洗いした個所が乾燥するまでに時間がかかり、却って、細菌が繁殖する可能性があった。また、全体をドライクリーニングするとそのコストが高く、また、外部に依頼することから使用効率が低下せざるを得なかった。
【０００６】
これらのことを考慮すると、図７に示す舐め防止プロテクター１００の開発が考えられる。
即ち、舐め防止プロテクター１００としては、略長方形状の洗濯可能な本体布１０１と、その本体布１０１のほつれを防止するために、その周囲に縫製したパイピング布１０２と、本体布１０１の両端の表裏に縫製した長方形状の接着布１０３ａ及び接着布１０３ｂを具備する構成とすることができる。
このように構成すると、例えば、ベビーキャリアの肩ベルトを乳幼児が舐める場合には、その舐める場所に当該舐め防止プロテクター１００を取付けることにより、それが防止できる。例えば、舐め防止プロテクター１００の本体布１０１の右側の部分を初回に巻き付け（矢印Ｒ１）、次に、左側の部分を巻き付けて（矢印Ｒ２）、接着布１０３ａ及び接着布１０３ｂで接合し、その状態を固定する。これによって、乳幼児は直接肩ベルトを舐めることができず、この舐め防止プロテクター１００をなめることになる。
したがって、舐め防止プロテクター１００は常に洗濯によって清潔を保つことで、舐めることによる不潔感を解消することができる。
【０００７】
ところが、図７に示す舐め防止プロテクター１００は、ベビーキャリアの肩ベルトに巻き付ける場合には、特定の寸法でないと、または接着布１０３ａ及び接着布１０３ｂの接合で吸収できる寸法でないと取付けができない。また、接着布１０３ａ及び接着布１０３ｂが取付けられているので、洗濯の際に糸屑等が巻き付いて不潔感が生じたり、接着布１０３ａ及び接着布１０３ｂに巻き付いた糸くずによって、舐め防止プロテクター１００がベビーキャリアの肩ベルトから離れやすくなったりする。
【０００８】
そこで、本発明は、乳幼児が乳幼児用具及び機器等を直接舐めないようにすると共に、前記乳幼児用具及び機器等の取付け対象が異なる２種類の周囲の長さに対しても対応可能な舐め防止プロテクターの提供を課題とするものである。
【課題を解決するための手段】
【０００９】
請求項１の発明にかかる舐め防止プロテクターは、略長方形状の本体布の互いに対向する辺の中央部を内側に凹と湾曲させた弧状とし、前記対抗する２辺を同一長さとした４辺を有し、前記本体布の両面に互いに隣接する前記２辺が交差することによって形成される対向する２角部に設けた固着具の係合側及び他の対向する２角部に設けた前記固着具の係合側の反対に固着具の意匠側をそれぞれ形成したものである。
ここで、上記略長方形状の本体布は、正確に長方体形状ではなく、基本的形状が長方形という意味であり、互いに対向する辺の中央部を内側に凹とした弧状とし、前記対抗する２辺を同一長さとした４辺を有するもので、前記４辺共に中央部を内側に凹とした弧状とするものである。
また、上記固着具は、略長方形状の本体布の両面に互いに隣接する前記２辺が交差することによって形成される対向する２角部に設けた係合側及び他の対向する２角部に設けた前記係合側の反対側の意匠側をそれぞれ形成したものである。上記固着具としては、具体的には、ホック（バネホック、アメリカンホック、ジャンパホック、各種材料のボタンを含む）等で、係合状態及びその解除状態が自在で維持されるものである。また、その意匠側とは、前記係合側の反対側を意味し、必ずしも化粧されていることを要件とするものではない。即ち、意匠側についても化粧を必要とするものではなく、係合側でなければよい。そして、上記固着具の係合側とは、凹パーツまたは凸パーツのいずれかであればよい。
なお、パイル地に限らず生地は切断するとその端部がほつれてくるので、そのほつれを防止するために、また意匠性を向上させるために、本体布の端部をパイピング処理を行うのが好適である。
【００１０】
請求項２の発明にかかる舐め防止プロテクターの前記略長方形状の本体布は、パイル地またはガーゼとしたものである。
ここで、上記パイル地は、洗濯に耐えるタオル状の布地であればよい。しかし、一般的に、パイル地に限らず生地は切断するとその端部がほつれてくる。それを防止するために、また意匠性を向上させるために、端部にパイピング処理を行うのが好適である。パイル地または複数重ねたガーゼは１枚以上を用いるもので、織り目の細かさ、厚みで取付け個所に適応させることができる。
【００１１】
請求項３の発明にかかる舐め防止プロテクターの前記略長方形状の本体布は、伸縮性の生地としたものである。
ここで、上記略長方形状の本体布は、１方向または２方向に伸縮性を有する生地であればよい。しかし、本実施の形態では複数のサイズを基準として伸びを持たせることができる。
【００１２】
請求項４の発明にかかる舐め防止プロテクターの前記略長方形状の本体布は、１：１以上、１：２以下のサイズ比としたものである。
ここで、前記略長方形状の本体布はいかなるサイズも選択できるが、通常、最長でも２０ｃｍ以下であるから、それを基に計算すると、１：１以上、１：２以下のサイズ比とすると安定した取付け状態が可能である。
【発明の効果】
【００１３】
請求項１の発明の舐め防止プロテクターは、略長方形状の本体布の互いに対向する２辺を同一長さとした４辺を有する本体布とする。そして、前記本体布の対角線上の対向する２角部に設けた固着具の係合側及び他の対向する２角部に設けた前記固着具の意匠側を形成し、一方の前記固着具の意匠側を内側に入れ、その表面側に同一辺上の前記固着具の係合側を重ねて係合する。また、対向辺の前記固着具の意匠側を内側に入れ、その表面側に同一辺上の前記固着具の係合側を重ねて係合する。
したがって、舐め防止プロテクターの内側の面には、前記固着具の意匠側及び外側の面にも同様に意匠側が位置し、例えば、ベビーキャリアの左右の肩ベルトに取付ければ、肩ベルト側を傷つけることがない。また、それが舐め防止プロテクターと機能し、乳幼児が直接ベビーキャリアの肩ベルトを舐めることがなくなる。その代わりに、舐め防止プロテクターを乳幼児が舐めることになるが、本体布部分はそれを前提として清潔な布を使用すればよく、また、舐め防止プロテクターの外表面にも、前記固着具の意匠側が位置し、乳幼児の唇や舌を怪我させることがない。そして、舐め防止プロテクターは常に洗濯によって清潔に保つことができる。
【００１４】
請求項２の発明の舐め防止プロテクターの前記略長方形状の本体布は、パイル地またはガーゼとしたものであるから、請求項１の効果に加えて、洗濯が容易であり、また、乳幼児が違和感のない感触となり、不自然さがなくなる。
ここで、パイル地または複数重ねたガーゼは１枚以上を用いるもので、織り目の細かさ、厚みで取付け個所に適応させることができる。
【００１５】
請求項３の発明の舐め防止プロテクターの前記略長方形状の本体布は、伸縮性の生地としたものであるから、請求項１の効果に加えて、寸法の違いが弾性によっても吸収でき、幅広い寸法に合わせることができる。
【００１６】
請求項４の発明の舐め防止プロテクターの前記略長方形状の本体布は、１：１以上、１：２以下のサイズ比としたものであるから、請求項１乃至請求項３のいずれか１つに記載の効果に加えて、通常の使用状態では、乳幼児が触れる生活環境の乳幼児用具及び機器等の構成部品のサイズの関係でその比率内であれば、サイズの変更があっても使用が可能である。
【図面の簡単な説明】
【００１７】
【図１】図１は本発明の各実施の形態１にかかる舐め防止プロテクターを取付けるベビーキャリアの親側からみた正面図である。
【図２】図２は本発明の実施の形態１にかかる舐め防止プロテクターの表面の展開を示す全体正面図（ａ）及び全体裏面図（ｂ）である。
【図３】図３は本発明の実施の形態１にかかる舐め防止プロテクターの動作を示す工程説明図で、第１段階（ａ）及び第２段階（ｂ）及び第３段階（ｃ）の説明図である。
【図４】図４は本発明の実施の形態１にかかる舐め防止プロテクターの表面の展開を示す全体説明図（ａ）及び短い縦方向に閉じた状態の説明図（ｂ）である。
【図５】図５は本発明の実施の形態１にかかる舐め防止プロテクターの取付け状態を示す要部説明図（ａ）及び親が抱っこ状態の説明斜視図（ｂ）である。
【図６】図６は本発明の実施の形態１にかかる舐め防止プロテクターのチャイルドシートのベルトへの取付け状態を示す説明斜視図である。
【図７】図７は本発明の実施の形態２にかかる舐め防止プロテクターの表面の展開を示す全体説明図（ａ）及び長い横方向に閉じた状態の説明図（ｂ）、短い縦方向に閉じた状態の説明図（ｃ）である。
【図８】図８は本発明の実施の形態３にかかる舐め防止プロテクターの表面の展開を示す全体説明図（ａ）及び長い横方向に閉じた状態の説明図（ｂ）、短い縦方向に閉じた状態の説明図（ｃ）である。
【図９】図９は従来技術で考えられる舐め防止プロテクターの表面の展開を示す全体説明図（ａ）及び長い横方向に閉じた状態の説明図（ｂ）である。
【発明を実施するための形態】
【００１８】
以下、本発明の実施の形態について、図を用いて説明する。なお、図中、各実施の形態において同一記号及び同一符号は、同一または相当する部分であるから、ここでは重複する説明を省略する。
【００１９】
実施の形態１．
図１に示すように、本実施の形態１にかかる舐め防止プロテクター１００を使用するベビーキャリアは、乳幼児Ｂを抱っこしたり、おんぶしたりしたとき、乳幼児Ｂの身体に対し親側の反対側、即ち、乳幼児Ｂの腹側にあてがわれもので、ベビーキャリアの背側布部１０は、乳幼児Ｂの身体の反親側にあてがわれるものであり、図示しない公知の芯材の周囲に緩衝材及び弾性材を配設し、その表面をデザイン的に処理してなるものである。その表生地と裏生地との間または乳幼児Ｂ側または全体を特定の厚みの空気層を形成してなる立体編物（ダブルラッシェル）とすることもできる。なお、図中の白抜き矢印は、乳幼児の向きを示す。
【００２０】
腹側布部１０の下部に縫い付けられた腰ベルト２０は、母親等の親の腰にベルト２３を巻いて、その端部に配設されているバックルの連結差込具２１及び連結受具２２を連結係合させることによって、親の腰回りに固定され、人為的にバックルの連結差込具２１と連結受具２２との連結係合を解かない限り外れなくなっている。したがって、腰ベルト２０のベルト２３は可撓性があり、腹側布部１０の下部で乳幼児Ｂの体重の多くを保持するので、強度的に耐えられるものであり、かつ、力（乳幼児Ｂの体重）の分散が行われる形態として形成されている。
【００２１】
背側布部３０は、腹側布部１０の下部で一体に取付けられ、自由端が上方に延び、腹側布部１０と分離され、図示しない公知の芯材の周囲に緩衝材及び弾性材を配設し、その表面をデザイン的に処理してなるものである。その表生地と裏生地との間または乳幼児Ｂ側または全体を特定の厚みの空気層を形成してなる立体編物を設けることもできる。背側布部３０の基本的構造は腹側布部１０と相違するものではないが、機械的には、腹側布部１０の方が背側布部３０よりも強く形成されている。
【００２２】
特に、図１に示すように、所定の厚みを有する背側布部３０の上部に一対の帯状体を介してバックルの連結差込具が配設されていて、腹側布部１０に一対の帯状体を介して配設されている一対のバックルの連結受具との連結係合がなされており、腹側布部１０と背側布部３０が一体となっている。
ここで、上記乳幼児Ｂの身体にあてがわれる腹側布部１０及び背側布部３０は、乳幼児Ｂの後頭部から背中、臀部までを支持する適当な弾性及び可撓性を有する材料からなる乳幼児Ｂを保護する部材である。
【００２３】
なお、本実施の形態１における背側布部３０は、図１に示すように、腹側布部１０の下部に縫製され、上方に延びた辺が自由端となっており、腹側布部１０に対向する反対側に位置する背側布部３０となっている。このとき、本実施の形態１にかかる舐め防止プロテクターには、腹側布部１０の下部に直接縫い付けるか、固着具で固着等により取付けられ、上方が開口されるように延びている。機械的強度は、腹側布部１０に乳幼児Ｂの全ての重量を負担させることができるようしている。背側布部３０は特定の厚みを有し、保温性または通気性が確保されるものであればよい。本発明の実施の形態１では、腹側布部１０と背側布部３０に形成された特定の厚みを有する通気性のある空気層からなる立体編物が使用されている。
【００２４】
腹側布部１０の上下の長さは、平均的な乳幼児Ｂの胴体の長さ程度に形成され、上下部の幅は平均的な乳幼児Ｂの胴体の幅に形成されている。特に、その上下両側は、その中央付近に切り欠きのピーク位置がくるように弧状に切り欠かれている。即ち、乳幼児Ｂの股に近い位置から脚の取り出しが容易なように、オムツによる容積増の変化も加味して脚案内口１５を設けている。したがって、腹側布部１０の水平方向の横幅は、脚案内口１５の切り欠きのピーク位置で最小の距離となっており、ここが乳幼児Ｂの脚の付け根に近い位置となるように、自然の脚位置から脚案内口１５が定められている。
【００２５】
これに対して、背側布部３０は脚案内口１５を形成していない略四角形の生地となっている。内側に腹側布部１０が配設されているから、乳幼児Ｂとの間に空隙が形成されないように弾性を持たせた仕上げとなっている。この背側布部３０の水平方向の横幅は、乳幼児Ｂの背後の臀部の周囲長から決定されている。したがって、その横幅の距離は、腹側布部１０の距離よりも大きくなる。
【００２６】
ここで、背側布部３０が腹側布部１０よりも生地の面積が広いことから、背側布部３０を使用しないときの取り扱いが問題になる。そこで、本実施の形態１では、背側布部３０を使用しないときに、それを格納する格納部４０を腹側布部１０の下部の腰ベルト２０に設けている。即ち、背側布部３０の上部側から折り畳んで、それを上部から挿入自在のポケット状の格納部４０に収納している。
したがって、格納部４０の厚みが若干厚くなるが、ベビーキャリアとしては、背側布部３０のないものとなり、スッキリしたデザインとなる。
【００２７】
腹側布部１０の上部左右には、左右の肩ベルト５０相互（左肩ベルト５１と右肩ベルト５２の間隔）間の距離を調整する肩ベルト調整部６０が配設されている。
左右の肩ベルト５０は、左肩に掛ける左肩ベルト５１とその端部に連結差込具５３を取付けた調節ベルト５５と、右肩に掛ける右肩ベルト５２と端部に連結差込具５４を取付けた調節ベルト５６とからなる。連結差込具５３は腹側布部１０側に取付けた図示しない連結受具に接続され、連結差込具５４は腹側布部１０側に取付けた図示しない連結受具に接続されている。また、調節ベルト５５及び調節ベルト５６は、その長さを調節できる図示しないアジャスタが配設されている。
【００２８】
また、左肩ベルト５１及び右肩ベルト５２には、両者間の間隔を調整保持する肩ベルト調整部６０が設けられている。この肩ベルト調整部６０は左肩ベルト調整部６１及び右肩ベルト調整部６２からなり、詳しくは、端部に連結差込具６３を取付けた左肩ベルト調整部６１と、端部に連結受具６４を取付けた右肩ベルト調整部６２とからなる。連結差込具６３は連結受具６４に接続され、左肩ベルト調整部６１と右肩ベルト調整部６２との長さが調節できる図示しないアジャスタが配設されている。
【００２９】
左肩ベルト調整部５１と右肩ベルト調整部５２は、各左肩ベルト５１と右肩ベルト５２とに平行して配設されているスライドベルト６５またはスライドベルト６６を摺動自在とし、肩ベルト調整部６０の位置が移動自在となっている。
したがって、各左肩ベルト５１と右肩ベルト５２を肩に掛けた状態で、連結差込具６３と連結受具６４が接続されると、左肩ベルト調整部６１と右肩ベルト調整部６２との長さによって、左肩ベルト５１または右肩ベルト５２が掛けた肩から外れることがなくなる。
なお、腹側布部１０の上部は左右の肩ベルト５０の取付け個所であり、乳幼児Ｂの体重の何割かを負担することから、それに十分耐えるように、機械的強度を持たせてある。
【００３０】
図２（ａ）に示す本実施の形態１の舐め防止プロテクターにおいて、略長方形状の洗濯可能な本体布１は、タオル地のようなパイル地、即ち、織物の片面または両面に毛羽や輪奈を織り出した生地としている。
また、本体布１のほつれを防止するために、その周囲に縫製したパイピング布２でパイピング処理をしている。このパイピング処理は、布の端をバイヤステープや他の布でくるんでほつれ防止と装飾的な処理をするものである。
【００３１】
本体布１は、互いに対向する辺１ａと辺１ｃ、辺１ｂと辺１ｄの中央部を内側に凹となる弧状とし、対抗する２辺の辺１ａと辺１ｃまたは辺１ｂと辺１ｄを同一長さとした４辺を有する略長方形状となっている。
また、本体布１の４隅１ｅ、１ｆ、１ｇ、１ｈには、ホック４ａ、４ｂ、４ｃ、４ｄが配設されている。このホック４ａ、４ｂ、４ｃ、４ｄとしてはバネホック、アメリカンホック、ジャンパホック等が使用できる。本体布１の４隅には、ホック４ａ、４ｂ、４ｃ、４ｄの使用に耐えるだけの芯材が形成された補強部１ｅ、１ｆ、１ｇ、１ｈとなっている。
【００３２】
図２における対角線上のホック４ａ、４ｃは、前者の正面側が凸パーツ４ａｇで、裏面側が意匠パーツ４ａｆ、また、後者の正面側が凸パーツ４ｃｇで、裏面側が意匠パーツ４ｃｆである。また、図２における対角線上のホック４ｂ、４ｄは、前者の正面側が意匠パーツ４ｂｆで、裏面側が凹パーツ４ｂｈ、そして、後者の正面側が意匠パーツ４ｄｆで、裏面側が凹パーツ４ｄｈである。
【００３３】
ホック４ａ、４ｂ、４ｃ、４ｄの各中心は、ホック４ａとホック４ｂの中心を結ぶ直線Ｙ−Ｙ、ホック４ｃとホック４ｄの中心を結ぶ直線Ｙ−Ｙは、辺１ｂと辺１ｄの内側に凹となった弧状の底に略接触するように設定されている。
また、ホック４ａとホック４ｄの中心を結ぶ直線Ｘ−Ｘ、ホック４ｂとホック４ｃの中心を結ぶ直線Ｘ−Ｘは、辺１ａと辺１ｃの内側に凹となった弧状の底に略接触するように設定されている。ここで、略接触するようにとは、凹となった弧状の底の上に直線があるとき、対向する２辺が接触し、それよりも浅い凹のときには、対向する２辺が弾接触することになる。
【００３４】
ここで、例えば、図３（ａ）に示すように、ホック４ｄを本体布１の横幅方向の略中心部まで折り曲げ、裏面側にあるホック４ｄの凹パーツ４ｄｈを表面側に出す。そこに、ホック４ａ側を本体布１の略中心部まで折り曲げ、表面側にあるホック４ａの凸パーツ４ａｇをホック４ｄの凹パーツ４ｄｈに重ねて係合し、ホック４ａの意匠パーツ４ａｆを表面側に露出させる。
【００３５】
次に、図３（ｂ）に示すように、ホック４ｂを本体布１の略中心部まで折り曲げ、裏面側にあるホック４ｂの凹パーツ４ｂｈを表面側に出す。そこに、ホック４ｃを本体布１の略中心部まで折り曲げ、表面側にあるホック４ｃの凸パーツ４ｃｇをホック４ｂの凹パーツ４ｂｈに重ねて係合し、ホック４ｃの意匠パーツ４ｃｆを表面に露出させ、図３（ｃ）に示すようにする。
【００３６】
同様に、図４のように、例えば、ホック４ｄを本体布１の縦幅方向の略中心部まで折り曲げ、裏面側にあるホック４ｄの凹パーツ４ｄｈを表面側に出す。そこに、ホック４ｃを本体布１の縦幅方向の略中心部まで折り曲げ、表面側にあるホック４ｃの凸パーツ４ｃｇをホック４ｄの凹パーツ４ｂｈに重ね係合し、ホック４ｃの意匠パーツ４ｃｆを表面に露出させる。次に、ホック４ｂを本体布１の縦幅方向の略中心部まで折り曲げ、裏面側にあるホック４ｂの凹パーツ４ｂｈを表面側に出す。そこに、ホック４ａを本体布１の縦幅方向の略中心部まで折り曲げ、表面側にあるホック４ａの凸パーツ４ａｇをホック４ｂの凹パーツ４ｂｈに重ねて係合し、ホック４ａの意匠パーツ４ａｆを表面に露出させる。
【００３７】
次に、本実施の形態１の舐め防止プロテクター１００をベビーキャリアの肩ベルト５０に取付ける場合について説明する。
ベビーキャリアの肩ベルト５０と本体布１の横幅方向または縦幅方向と近似する幅を選択し、ベビーキャリアの肩ベルト５０の下側にそれを位置させる。
【００３８】
ここで、例えば、辺１ａ及び辺１ｃの長さが肩ベルト５０に近似しているとすると、辺１ａ及び辺１ｃを肩ベルト５０に直角に交差させ、次に、ホック４ｄをベビーキャリアの肩ベルト５０の略中心部まで折り曲げ、裏面側にあるホック４ｄの凹パーツ４ｄｈを表面側に出し、そこに、ホック４ａを肩ベルト５０の略中心部まで折り曲げ、表面側にあるホック４ａの凸パーツ４ａｇをホック４ｄの凹パーツ４ｄｈに重ねて係合し、ホック４ａの意匠パーツ４ａｆを表面に露出させる。次に、ホック４ｂを肩ベルト５０の略中心部まで折り曲げ、裏面側にあるホック４ｂの凹パーツ４ｂｈを表面側に出し、そこに、ホック４ｃを肩ベルト５０の略中心部まで折り曲げ、表面側にあるホック４ｃの凸パーツ４ｃｇをホック４ｂの凹パーツ４ｂｈに重ね係合し、ホック４ｃの意匠パーツ４ｃｆを表面に露出させる。
【００３９】
ベビーキャリアの肩ベルト５０を乳幼児が舐める場合には、その舐める場所に当該舐め防止プロテクター１００の本体布１を巻き付け、ホック４ａ、４ｂ、４ｃ、４ｄでその状態を固定する。その状態を図５（ａ）及び（ｂ）に示す。これによって、乳幼児は直接肩ベルト５０を舐めることができず、舐め防止プロテクター１００を舐めることになる。
したがって、舐め防止プロテクター１００は常に洗濯によって清潔に保っておけば、舐めることによる不潔感を解消させることができる。
よって、乳幼児が乳幼児用具及び機器等を直接舐めないようにすると共に、前記乳幼児用具及び機器等の取付け対象が異なる２種類の周囲の長さに対しても辺１ａ及び辺１ｃ側または辺１ｂ及び辺１ｄ側で対応可能となる。
【００４０】
同様に、図６に示すように、チャイルドシート８０のベルト８１を乳幼児が舐める場合には、ベルト８１に本実施の形態１の舐め防止プロテクターを取付けることができる。
また、室内ブランコ、幼児用椅子、買い物用カート、ベビーベット等にも使用できる。特に、本実施の形態１の舐め防止プロテクターは、木材柱または金属柱、可撓性のベルト等に取付けができ、かつ、寸法が２種類に設定できるから、幾種類もの舐め防止プロテクターを用意する必要性がない。
【００４１】
上記実施の形態１の舐め防止プロテクター１００は、全辺１ａ、１ｂ、１ｃ、１ｄの中央部を内側に凹の弧状とし、対抗する２辺１ａ、１ｃ、２辺１ｂ、１ｄを同一長さとした４辺を有する略長方形状の本体布１と、本体布１の両面に互いに隣接する２辺１ａと１ｂ、１ｂと１ｃ、１ｃと１ｄ、１ｄと１ａが交差することによって形成される対向する２角部に設けた係合側及び他の対向する２角部に設けた係合側の反対側の意匠側をそれぞれ形成したホック４ａ、４ｂ、４ｃ、４ｄからなる固着具とを具備するものである。
【００４２】
本実施の形態１の舐め防止プロテクター１００は、略長方形状の本体布１の互いに対向する２辺１ａ、１ｃ、２辺１ｂ、１ｄの中央部を内側に凹とした弧状とし、前記対抗する２辺１ａ、１ｃ、２辺１ｂ、１ｄを同一長さとした４辺を有する本体布１とする。そして、本体布１の対角線上の対向する２角部に設けたホック４ａ、４ｂ、４ｃ、４ｄからなる固着具の凸パーツ４ａｇ、凹パーツ４ｂｈ、凸パーツ４ｃｇ、凹パーツ４ｄｈからなる係合側及び他の対向する２角部に設けたホック４ａ、４ｃまたはホック４ｂ、４ｄからなる固着具の意匠パーツ４ａｆ、意匠パーツ４ｂｆ、意匠パーツ４ｃｆ、意匠パーツ４ｄｆからなる意匠側を形成し、一方のホック４ａ、４ｂ、４ｃ、４ｄからなる固着具の意匠パーツ４ａｆ、意匠パーツ４ｂｆ、意匠パーツ４ｃｆ、意匠パーツ４ｄｆからなる意匠側を内側に入れ、その表面側に同一辺上のホック４ａ、４ｂ、４ｃ、４ｄからなる固着具の凸パーツ４ａｇ、凹パーツ４ｂｈ、凸パーツ４ｃｇ、凹パーツ４ｄｈ等からなる係合側を重ねて係合し、また、対向辺のホック４ａ、４ｂ、４ｃ、４ｄからなる固着具の意匠パーツ４ａｆ、意匠パーツ４ｂｆ、意匠パーツ４ｃｆ、意匠パーツ４ｄｆからなる意匠側を内側に入れ、その表面側に同一辺上のホック４ａ、４ｂ、４ｃ、４ｄからなる固着具の凸パーツ４ａｇ、凹パーツ４ｂｈ、凸パーツ４ｃｇ、凹パーツ４ｄｈからなる係合側を重ねて係合することによって目的の対象物に取付けができる。
【００４３】
したがって、舐め防止プロテクター１００の内側の面には、ホック４ａ、４ｂ、４ｃ、４ｄからなる固着具の意匠パーツ４ａｆ、意匠パーツ４ｂｆ、意匠パーツ４ｃｆ、意匠パーツ４ｄｆからなる意匠側及び外側の面にも同様に意匠パーツ４ａｆ、意匠パーツ４ｂｆ、意匠パーツ４ｃｆ、意匠パーツ４ｄｆの何れかからなる意匠側が位置し、例えば、ベビーキャリアの左右の肩ベルト５０に取付ければ、肩ベルト５０側を傷つけることがない。また、それが舐め防止プロテクター１００と機能し、乳幼児が直接ベビーキャリアの肩ベルト８１を舐めることがなくなる。その代わりに、舐め防止プロテクター１００を乳幼児が舐めることになるが、本体布１の部分はそれを前提として清潔な布を使用すればよく、また、舐め防止プロテクター１００の外表面にも、ホック４ａ、４ｂ、４ｃ、４ｄからなる固着具の意匠パーツ４ａｆ、意匠パーツ４ｂｆ、意匠パーツ４ｃｆ、意匠パーツ４ｄｆからなる意匠側が位置し、乳幼児の唇や舌を怪我させることがない。そして、舐め防止プロテクター１００は常に洗濯によって清潔に保つことができる。
【００４４】
実施の形態２．
図７（ａ）に示す本実施の形態２の舐め防止プロテクターにおいて、略長方形状の洗濯可能な本体布１は、タオル地のようなパイル地またはガーゼ等からなる生地としている。
特に本実施の形態では、パイル地またはガーゼからなる布地を複雑な形状に切断すると生地の強度が維持できなくなる可能性が高いから、長方形に切断した本体布１としたものである。そして、本体布１の４隅１ｅ、１ｆ、１ｇ、１ｈには、ホック４ａ、４ｂ、４ｃ、４ｄの使用に耐えるだけの芯材が形成された別布の長方形状の補強部１ｅ、１ｆ、１ｇ、１ｈを縫製している。
なお、本実施の形態２では、本体布１のほつれを防止するために、その周囲に縫製したパイピング布２でパイピング処理をしているが、袋縫い、折り伏せ縫い、割り伏せ縫い、本返し縫い等で端部を処理してもよい。
【００４５】
本体布１は、互いに対向する辺１ａと辺１ｃ、辺１ｂと辺１ｄは直線状とし、対抗する２辺の辺１ａと辺１ｃまたは辺１ｂと辺１ｄを同一長さとした４辺を有する略長方形状となっている。
また、本体布１の４隅１ｅ、１ｆ、１ｇ、１ｈには、ホック４ａ、４ｂ、４ｃ、４ｄが配設されている。このホック４ａ、４ｂ、４ｃ、４ｄとしてはバネホック、アメリカンホック、ジャンパホック等が使用できる。本体布１の４隅には、ホック４ａ、４ｂ、４ｃ、４ｄの使用に耐えるだけの芯材で形成された別布の補強部１ｅ、１ｆ、１ｇ、１ｈとなっている。
【００４６】
対角線上のホック４ａ、４ｃは、前者の正面側が凸パーツ４ａｇで、裏面側が意匠パーツ４ａｆ、また、後者の正面側が凸パーツ４ｃｇで、裏面側が意匠パーツ４ｃｆである。また、対角線上のホック４ｂ、４ｄは、前者の正面側が意匠パーツ４ｂｆで、裏面側が凹パーツ４ｂｈ（図２参照）、そして、後者の正面側が意匠パーツ４ｄｆで、裏面側が凹パーツ４ｄｈ（図２参照）である。
【００４７】
ホック４ａ、４ｂ、４ｃ、４ｄの各中心は、ホック４ａとホック４ｂの中心を結ぶ直線Ｙ−Ｙ、ホック４ｃとホック４ｄの中心を結ぶ直線Ｙ−Ｙは、辺１ｂと辺１ｄに略接触するように設定されている。また、ホック４ａとホック４ｄの中心を結ぶ直線Ｘ−Ｘ、ホック４ｂとホック４ｃの中心を結ぶ直線Ｘ−Ｘは、辺１ａと辺１ｃに略接触するように設定されている。ここで、略接触するようにとは、当該辺がホック状の直線位置よりも外側にあるとき、本体布１の端部が重なり合い、当該辺がホック状の直線位置よりも内側にあるとき、対向する２辺に隙間が形成されるので、対向する２辺が弾接触する状態が望ましい。
【００４８】
例えば、図７（ｂ）に示すように、ホック４ｄを本体布１の横幅方向の略中心部まで折り曲げ、裏面側にあるホック４ｄの凹パーツ４ｄｈを表面側に出す。そこに、ホック４ａ側を本体布１の略中心部まで折り曲げ、表面側にあるホック４ａの凸パーツ４ａｇをホック４ｄの凹パーツ４ｄｈに重ねて係合し、ホック４ａの意匠パーツ４ａｆを表面側に露出させる。
次に、ホック４ｂを本体布１の略中心部まで折り曲げ、裏面側にあるホック４ｂの凹パーツ４ｂｈを表面側に出す。そこに、ホック４ｃを本体布１の略中心部まで折り曲げ、表面側にあるホック４ｃの凸パーツ４ｃｇをホック４ｂの凹パーツ４ｂｈに重ねて係合し、ホック４ｃの意匠パーツ４ｃｆを表面に露出させ、図３（ｂ）に示すようにする。
【００４９】
同様に、図３（ｃ）のように、例えば、ホック４ｄを本体布１の縦幅方向の略中心部まで折り曲げ、裏面側にあるホック４ｄの凹パーツ４ｄｈを表面側に出す。そこに、ホック４ｃを本体布１の縦幅方向の略中心部まで折り曲げ、表面側にあるホック４ｃの凸パーツ４ｃｇをホック４ｄの凹パーツ４ｂｈに重ね係合し、ホック４ｃの意匠パーツ４ｃｆを表面に露出させる。次に、ホック４ｂを本体布１の縦幅方向の略中心部まで折り曲げ、裏面側にあるホック４ｂの凹パーツ４ｂｈを表面側に出す。そこに、ホック４ａを本体布１の縦幅方向の略中心部まで折り曲げ、表面側にあるホック４ａの凸パーツ４ａｇをホック４ｂの凹パーツ４ｂｈに重ねて係合し、ホック４ａの意匠パーツ４ａｆを表面に露出させる。
【００５０】
実施の形態３．
図８（ａ）に示す本実施の形態２の舐め防止プロテクターにおいて、略長方形状の洗濯可能な本体布１は、タオル地のようなパイル地またはガーゼ等からなる生地としている。
特に本実施の形態では、パイル地またはガーゼからなる布地を複雑な形状に切断すると生地の強度が維持できなくなる可能性が高いから、長方形に切断した本体布１としたものである。そして、本体布１の４隅１ｅ、１ｆ、１ｇ、１ｈには、ホック４ａ、４ｂ、４ｃ、４ｄの使用に耐えるだけの皮革、合成皮革等からなる別材料の卵形状の補強部１ｅ、１ｆ、１ｇ、１ｈを縫製している。
なお、本実施の形態３では、本体布１のほつれを防止するために、その周囲に縫製したパイピング布２でパイピング処理をしているが、袋縫い、折り伏せ縫い、割り伏せ縫い、本返し縫い等で端部を処理してもよい。
【００５１】
本体布１は、互いに対向する辺１ａと辺１ｃ、辺１ｂと辺１ｄは直線状とし、対抗する２辺の辺１ａと辺１ｃまたは辺１ｂと辺１ｄを同一長さとした４辺を有する略長方形状となっている。
また、本体布１の４隅１ｅ、１ｆ、１ｇ、１ｈには、ホック４ａ、４ｂ、４ｃ、４ｄが配設されている。このホック４ａ、４ｂ、４ｃ、４ｄとしてはバネホック、アメリカンホック、ジャンパホック等が使用できる。本体布１の４隅には、ホック４ａ、４ｂ、４ｃ、４ｄの使用に耐えるだけの別材料からなる補強部１ｅ、１ｆ、１ｇ、１ｈとなっている。
【００５２】
対角線上のホック４ａ、４ｃは、前者の正面側が凸パーツ４ａｇで、裏面側が意匠パーツ４ａｆ、また、後者の正面側が凸パーツ４ｃｇで、裏面側が意匠パーツ４ｃｆである。また、対角線上のホック４ｂ、４ｄは、前者の正面側が意匠パーツ４ｂｆで、裏面側が凹パーツ４ｂｈ（図２参照）、そして、後者の正面側が意匠パーツ４ｄｆで、裏面側が凹パーツ４ｄｈ（図２参照）である。
【００５３】
ホック４ａ、４ｂ、４ｃ、４ｄの各中心は、ホック４ａとホック４ｂの中心を結ぶ直線Ｙ−Ｙ、ホック４ｃとホック４ｄの中心を結ぶ直線Ｙ−Ｙは、辺１ｂと辺１ｄに略接触するように設定されている。また、ホック４ａとホック４ｄの中心を結ぶ直線Ｘ−Ｘ、ホック４ｂとホック４ｃの中心を結ぶ直線Ｘ−Ｘは、辺１ａと辺１ｃに略接触するように設定されている。ここで、略接触するようにとは、当該辺がホック状の直線位置よりも外側にあるとき、本体布１の端部が重なり合い、当該辺がホック状の直線位置よりも内側にあるとき、対向する２辺に隙間が形成されるので、対向する２辺が弾接触する状態が望ましい。
【００５４】
例えば、図８（ｂ）に示すように、ホック４ｄを本体布１の横幅方向の略中心部まで折り曲げ、裏面側にあるホック４ｄの凹パーツ４ｄｈを表面側に出す。そこに、ホック４ａ側を本体布１の略中心部まで折り曲げ、表面側にあるホック４ａの凸パーツ４ａｇをホック４ｄの凹パーツ４ｄｈに重ねて係合し、ホック４ａの意匠パーツ４ａｆを表面側に露出させる。次に、ホック４ｂを本体布１の略中心部まで折り曲げ、裏面側にあるホック４ｂの凹パーツ４ｂｈを表面側に出す。そこに、ホック４ｃを本体布１の略中心部まで折り曲げ、表面側にあるホック４ｃの凸パーツ４ｃｇをホック４ｂの凹パーツ４ｂｈに重ねて係合し、ホック４ｃの意匠パーツ４ｃｆを表面に露出させ、図８（ｂ）に示すようにする。
【００５５】
同様に、図８（ｃ）のように、例えば、ホック４ｄを本体布１の縦幅方向の略中心部まで折り曲げ、裏面側にあるホック４ｄの凹パーツ４ｄｈを表面側に出す。そこに、ホック４ｃを本体布１の縦幅方向の略中心部まで折り曲げ、表面側にあるホック４ｃの凸パーツ４ｃｇをホック４ｄの凹パーツ４ｂｈに重ね係合し、ホック４ｃの意匠パーツ４ｃｆを表面に露出させる。次に、ホック４ｂを本体布１の縦幅方向の略中心部まで折り曲げ、裏面側にあるホック４ｂの凹パーツ４ｂｈを表面側に出す。そこに、ホック４ａを本体布１の縦幅方向の略中心部まで折り曲げ、表面側にあるホック４ａの凸パーツ４ａｇをホック４ｂの凹パーツ４ｂｈに重ねて係合し、ホック４ａの意匠パーツ４ａｆを表面に露出させる。
【００５６】
上記実施の形態２及び実施の形態３の舐め防止プロテクター１００は、全辺１ａ、１ｂ、１ｃ、１ｄの対抗する２辺１ａ、１ｃ、２辺１ｂ、１ｄを同一長さとした４辺を有する略長方形状の本体布１と、本体布１の両面に互いに隣接する２辺１ａと１ｂ、１ｂと１ｃ、１ｃと１ｄ、１ｄと１ａが交差することによって形成される対向する２角部に設けた係合側及び他の対向する２角部に設けた係合側の反対側の意匠側をそれぞれ形成したホック４ａ、４ｂ、４ｃ、４ｄからなる固着具とを具備するものである。
【００５７】
本実施の形態１の舐め防止プロテクター１００は、略長方形状の本体布１の互いに対向する２辺１ａ、１ｃ、２辺１ｂ、１ｄを同一長さとした４辺を有する本体布１とする。そして、本体布１の対角線上の対向する２角部に別材料からなる補強部１ｅ、１ｆ、１ｇ、１ｈを使用して設けたホック４ａ、４ｂ、４ｃ、４ｄからなる固着具の凸パーツ４ａｇ、凹パーツ４ｂｈ、凸パーツ４ｃｇ、凹パーツ４ｄｈからなる係合側及び他の対向する２角部に設けたホック４ａ、４ｃまたはホック４ｂ、４ｄからなる固着具の意匠パーツ４ａｆ、意匠パーツ４ｂｆ、意匠パーツ４ｃｆ、意匠パーツ４ｄｆからなる意匠側を形成し、一方のホック４ａ、４ｂ、４ｃ、４ｄからなる固着具の意匠パーツ４ａｆ、意匠パーツ４ｂｆ、意匠パーツ４ｃｆ、意匠パーツ４ｄｆからなる意匠側を内側に入れ、その表面側に同一辺上のホック４ａ、４ｂ、４ｃ、４ｄからなる固着具の凸パーツ４ａｇ、凹パーツ４ｂｈ、凸パーツ４ｃｇ、凹パーツ４ｄｈ等からなる係合側を重ねて係合し、また、対向辺のホック４ａ、４ｂ、４ｃ、４ｄからなる固着具の意匠パーツ４ａｆ、意匠パーツ４ｂｆ、意匠パーツ４ｃｆ、意匠パーツ４ｄｆからなる意匠側を内側に入れ、その表面側に同一辺上のホック４ａ、４ｂ、４ｃ、４ｄからなる固着具の凸パーツ４ａｇ、凹パーツ４ｂｈ、凸パーツ４ｃｇ、凹パーツ４ｄｈからなる係合側を重ねて係合することによって目的の対象物に取付けができる。
【００５８】
したがって、舐め防止プロテクター１００の内側の面には、ホック４ａ、４ｂ、４ｃ、４ｄからなる固着具の意匠パーツ４ａｆ、意匠パーツ４ｂｆ、意匠パーツ４ｃｆ、意匠パーツ４ｄｆからなる意匠側及び外側の面にも同様に意匠パーツ４ａｆ、意匠パーツ４ｂｆ、意匠パーツ４ｃｆ、意匠パーツ４ｄｆのいずれかからなる意匠側が位置し、例えば、ベビーキャリアの左右の肩ベルト５０に取付ければ、肩ベルト５０側を傷つけることがない。また、それが舐め防止プロテクター１００と機能し、乳幼児が直接ベビーキャリアの肩ベルト８１を舐めることがなくなる。その代わりに、舐め防止プロテクター１００を乳幼児が舐めることになるが、本体布１の部分はそれを前提として清潔な布を使用すればよく、また、舐め防止プロテクター１００の外表面にも、ホック４ａ、４ｂ、４ｃ、４ｄからなる固着具の意匠パーツ４ａｆ、意匠パーツ４ｂｆ、意匠パーツ４ｃｆ、意匠パーツ４ｄｆからなる意匠側が位置し、乳幼児の唇や舌を怪我させることがない。そして、舐め防止プロテクター１００は常に洗濯によって清潔に保つことができる。
【００５９】
本実施の形態１乃至実施の形態３の舐め防止プロテクター１００は、前記略長方形状の本体布１をパイル地またはガーゼ地としたものである。この実施の形態では、洗濯が容易であり、また、乳幼児が違和感のない感触となり、不自然さがなくなる。
なお、実施の形態２及び実施の形態３では、本体布１の対角線上の対向する２角部に別材料からなる補強部１ｅ、１ｆ、１ｇ、１ｈを配設するものであるが、本発明を実視する場合には、洗濯の容易さから、実施の形態１のように同一材料で形成するのが望ましい。しかし、積極的に別材料として使い勝手を優先してもよい。或いは、本体布１もパイル地またはガーゼ地のみでなく、複数枚の木綿或いは合皮とし、リバーシブルの使用を可能とすることもできる。
【００６０】
本実施の形態１乃至実施の形態３の舐め防止プロテクター１００の略長方形状の本体布１は、伸縮性について説明していないが、本発明を実視する場合、略長方形状の本体布１は、伸縮性の生地とすることができる。この場合には、寸法の違いが弾性によっても吸収でき、幅広い寸法に合わせることができる。パイル地またはガーゼ地、合成皮革には弾性を持たせるのが好適である。
【００６１】
本実施の形態の舐め防止プロテクター１００の略長方形状の本体布１は、１：１以上、１：２以下のサイズ比としたものである。この種の実施の形態における通常の使用状態では、乳幼児が触れる生活環境の乳幼児用具及び機器等の構成部品のサイズの関係でその比率内であれば、サイズの変更があっても使用が可能である。特に、最大の比率の１０ｃｍと２０ｃｍのサイズとなっている場合には、本体布１に弾性布を使用するのが好適である。
【００６２】
上記実施の形態１乃至実施の形態３においては、本体布１としてパイル地またはガーゼ地、木綿地或いは合皮地、皮地の使用を可能とするものであり、単一の材料の使用のみではなく、複合化させて使用することもできる。また、その枚数も縫い合わせ、折り重ねによって複数層とすることができる。また、その材料によって端部のパイピング処理を袋縫い、折り伏せ縫い、割り伏せ縫い、本返し縫い等の処理としてもよい。
【符号の説明】
【００６３】
Ｂ    乳幼児
１    本体布
２    パイピング布
４、４ａ、４ｂ、４ｃ、４ｄ    ホック
４ａｆ、４ｂｆ、４ｃｆ、４ｄｆ    意匠パーツ
４ａｇ、４ｃｇ    凸パーツ
４ｂｈ、４ｄｈ    凹パーツ
５０    肩ベルト
【図１】
2012157419.tif 000003
【図２】
2012157419.tif 000004
【図３】
2012157419.tif 000005
【図４】
2012157419.tif 000006
【図５】
2012157419.tif 000007
【図６】
2012157419.tif 000008
【図７】
2012157419.tif 000009
【図８】
2012157419.tif 000010
【図９】
2012157419.tif 000011